【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
災害発生地域を示す情報が入力されると、顧客の建物の建設地と建物の構造情報を含む顧客情報データベースを参照して、前記災害発生地域の、前記顧客の建物の建設地と建物の構造情報のリストを出力する被災建物予測手段と、
前記災害発生地域における災害の種類と災害の程度を示す情報が入力されると、災害の種類と災害の程度に応じた被災予測個所とその状態のリストを参照して、前記被災建物予測手段の出力した、顧客の建物の建設地と建物の構造情報のリストに含まれる各建物について、予測される被災個所とその状態のリストを出力する被災箇所予測手段と、
前記被災箇所予測手段の出力した、前記顧客の建物の建設地と予測される被災個所とその状態のリストとを含む被害状況聞き取り調査用資料を出力する、資料出力手段とを備えたことを特徴とする災害復旧システム。
【請求項２】
請求項１に記載の災害復旧システムにおいて、
前記資料出力手段は、前記被害状況聞き取り調査用資料に含まれた、聞き取り調査のための訪問箇所を、地域毎の災害の程度により、訪問優先度順に並べて出力することを特徴とする災害復旧システム。
【請求項３】
請求項１に記載の災害復旧システムにおいて、
前記資料出力手段は、前記被害状況聞き取り調査用資料に含まれた、被災を予測される建物ごとに、被災予測箇所のリストを、部位ごとの復旧の緊急性により、部位優先度順に並べて出力することを特徴とする災害復旧システム。
【請求項４】
請求項１に記載の災害復旧システムにおいて、
資料出力手段は、各建物にそれぞれ複数の被災箇所が存在したとき、建物単位ではなく、被災箇所単位で優先度順に復旧工事をするために、全ての被災箇所について個別に復旧の優先度順位を付けて表示した復旧スケジュール表を出力することを特徴とする災害復旧システム。
【請求項５】
請求項１に記載の災害復旧システムにおいて、
前記資料出力手段は、各建物ごとに、復旧に必要な業者をグループ化したチームを表示した、巡回チーム編成リストを出力することを特徴とする災害復旧システム。
【請求項６】
請求項１に記載の災害復旧システムにおいて、
被害状況聞き取り調査用資料は、各顧客の建物の修理単価や工賃をあらかじめ算出して表示した復旧費用見積もり用の計算式を含むことを特徴とする災害復旧システム。
【請求項７】
災害発生地域と災害の種類と災害の程度に基づいて選択された、顧客の建物の建設地と予測される被災個所とその状態のリストとを含む被害状況聞き取り調査用資料の、各項目を表示して、被害状況聞き取り調査結果を入力するためのモバイル端末と、
このモバイル端末にネットワークを通じて接続されて、当該ネットワークを通じて転送された前記被害状況聞き取り調査結果に基づいて、前記各建物の復旧費用見積もりと、被災箇所単位で優先度順に復旧工事をするために、全ての被災箇所について復旧の優先度順位を付けて表示した復旧スケジュール表と、各建物ごとに復旧に必要な業者をグループ化したチームを表示した、巡回チーム編成リストを出力するホストコンピュータからなることを特徴とする災害復旧支援システム。
【請求項８】
コンピュータを、
災害発生地域を示す情報が入力されると、顧客の建物の建設地と建物の構造情報を含む顧客情報データベースを参照して、前記災害発生地域の、前記顧客の建物の建設地と建物の構造情報のリストを出力する被災建物予測手段と、
前記災害発生地域における災害の種類と災害の程度を示す情報が入力されると、災害の種類と災害の程度に応じた被災予測個所とその状態のリストを参照して、前記被災建物予測手段の出力した、顧客の建物の建設地と建物の構造情報のリストに含まれる各建物について、予測される被災個所とその状態のリストを出力する被災箇所予測手段と、
前記被災箇所予測手段の出力した、前記顧客の建物の建設地と予測される被災個所とその状態のリストとを含む被害状況聞き取り調査用資料を出力する、資料出力手段として機能させるための災害復旧支援コンピュータプログラム。
【手続補正２】
【補正対象書類名】明細書
【補正対象項目名】０００４
【補正方法】変更
【補正の内容】
【０００４】
【課題を解決するための手段】
本発明は以上の点を解決するため次の構成を採用する。
〈構成１〉
災害発生地域を示す情報が入力されると、顧客の建物の建設地と建物の構造情報を含む顧客情報データベースを参照して、上記災害発生地域の、上記顧客の建物の建設地と建物の構造情報のリストを出力する被災建物予測手段と、上記災害発生地域における災害の種類と災害の程度を示す情報が入力されると、災害の種類と災害の程度に応じた被災予測個所とその状態のリストを参照して、上記被災建物予測手段の出力した、顧客の建物の建設地と建物の構造情報のリストに含まれる各建物について、予測される被災個所とその状態のリストを出力する被災箇所予測手段と、上記被災箇所予測手段の出力した、上記顧客の建物の建設地と予測される被災個所とその状態のリストとを含む被害状況聞き取り調査用資料を出力する、資料出力手段とを備えたことを特徴とする災害復旧システム。
【手続補正３】
【補正対象書類名】明細書
【補正対象項目名】０００５
【補正方法】変更
【補正の内容】
【０００５】
〈構成２〉
構成１に記載の災害復旧システムにおいて、上記資料出力手段は、上記被害状況聞き取り調査用資料に含まれた、聞き取り調査のための訪問箇所を、地域毎の災害の程度により、訪問優先度順に並べて出力することを特徴とする災害復旧システム。
【手続補正４】
【補正対象書類名】明細書
【補正対象項目名】０００６
【補正方法】変更
【補正の内容】
【０００６】
〈構成３〉
構成１に記載の災害復旧システムにおいて、上記資料出力手段は、上記被害状況聞き取り調査用資料に含まれた、被災を予測される建物ごとに、被災予測箇所のリストを、部位ごとの復旧の緊急性により、部位優先度順に並べて出力することを特徴とする災害復旧システム。
【手続補正５】
【補正対象書類名】明細書
【補正対象項目名】０００７
【補正方法】変更
【補正の内容】
【０００７】
〈構成４〉
構成１に記載の災害復旧システムにおいて、資料出力手段は、各建物にそれぞれ複数の被災箇所が存在したとき、建物単位ではなく、被災箇所単位で優先度順に復旧工事をするために、全ての被災箇所について個別に復旧の優先度順位を付けて表示した復旧スケジュール表を出力することを特徴とする災害復旧システム。
【手続補正６】
【補正対象書類名】明細書
【補正対象項目名】０００８
【補正方法】変更
【補正の内容】
【０００８】
〈構成５〉
構成１に記載の災害復旧システムにおいて、上記資料出力手段は、各建物ごとに、復旧に必要な業者をグループ化したチームを表示した、巡回チーム編成リストを出力することを特徴とする災害復旧システム。
【手続補正７】
【補正対象書類名】明細書
【補正対象項目名】０００９
【補正方法】変更
【補正の内容】
【０００９】
〈構成６〉
構成１に記載の災害復旧システムにおいて、被害状況聞き取り調査用資料は、各顧客の建物の修理単価や工賃をあらかじめ算出して表示した復旧費用見積もり用の計算式を含むことを特徴とする災害復旧システム。
【手続補正８】
【補正対象書類名】明細書
【補正対象項目名】００１０
【補正方法】変更
【補正の内容】
【００１０】
〈構成７〉
災害発生地域と災害の種類と災害の程度に基づいて選択された、顧客の建物の建設地と予測される被災個所とその状態のリストとを含む被害状況聞き取り調査用資料の、各項目を表示して、被害状況聞き取り調査結果を入力するためのモバイル端末と、このモバイル端末にネットワークを通じて接続されて、当該ネットワークを通じて転送された上記被害状況聞き取り調査結果に基づいて、上記各建物の復旧費用見積もりと、被災箇所単位で優先度順に復旧工事をするために、全ての被災箇所について復旧の優先度順位を付けて表示した復旧スケジュール表と、各建物ごとに復旧に必要な業者をグループ化したチームを表示した、巡回チーム編成リストを出力するホストコンピュータからなることを特徴とする災害復旧支援システム。
【手続補正９】
【補正対象書類名】明細書
【補正対象項目名】００１１
【補正方法】変更
【補正の内容】
【００１１】
〈構成８〉
コンピュータを、災害発生地域を示す情報が入力されると、顧客の建物の建設地と建物の構造情報を含む顧客情報データベースを参照して、上記災害発生地域の、上記顧客の建物の建設地と建物の構造情報のリストを出力する被災建物予測手段と、上記災害発生地域における災害の種類と災害の程度を示す情報が入力されると、災害の種類と災害の程度に応じた被災予測個所とその状態のリストを参照して、上記被災建物予測手段の出力した、顧客の建物の建設地と建物の構造情報のリストに含まれる各建物について、予測される被災個所とその状態のリストを出力する被災箇所予測手段と、上記被災箇所予測手段の出力した、上記顧客の建物の建設地と予測される被災個所とその状態のリストとを含む被害状況聞き取り調査用資料を出力する、資料出力手段として機能させるための災害復旧支援コンピュータプログラム。